(57)【要約】【課題】ケースの外側に漏れる騒音を低減できると共に、ケース内の流路部における通気抵抗も低減できるようにする。【解決手段】内部に設けられて空気が流れる流路部１１、及び、流路部１１の端部に設けられた換気口１２を有するケース２と、ケース２の外側に配されて、換気口１２に対向するように、かつ、流路部１１の長手方向において換気口１２から離れるにしたがって長手方向に直交する第一直交方向に延びるように形成され、換気口１２を通じてケース２の外側に伝播した音を反射する反射面２１を有する反射部３と、ケース２の外側に配され、反射部３において反射した音を吸収する吸音材５と、を備える電子機器ユニット１を提供する。【選択図】図１
2020007936.tif 000002
【特許請求の範囲】
【請求項１】
内部に設けられて空気が流れる流路部、及び、前記流路部の端部に設けられた換気口を有するケースと、
前記ケースの外側に配されて、前記換気口に対向するように、かつ、前記流路部の長手方向において前記換気口から離れるにしたがって前記長手方向に直交する第一直交方向に延びるように形成され、前記換気口を通じて前記ケースの外側に伝播した音を反射する反射面を有する反射部と、
前記ケースの外側に配され、前記反射部において反射した音を吸収する吸音材と、
を備える電子機器ユニット。
【請求項２】
前記換気口を塞ぐように設けられると共に、互いに間隔をあけた位置において前記流路部を前記ケースの外側に開口させる複数の開口孔を有する開口付き蓋部を備え、
前記反射部が、複数の前記開口孔に対して一つずつ設けられる請求項１に記載の電子機器ユニット。
【請求項３】
前記吸音材には、前記反射面において反射した音を吸収する第一吸音材と、一の反射部の前記反射面で反射した後に他の反射部において反射した音を吸収する第二吸音材と、がある請求項２に記載の電子機器ユニット。
【請求項４】
複数の前記反射部が、前記第一直交方向に並べられ、
複数の前記反射部の前記反射面が、前記第一直交方向の一方側に向けられ、
前記第一吸音材が、複数の前記反射部に対して前記第一直交方向の一方側に配され、
前記第二吸音材が、複数の前記反射部に対して前記第一直交方向の他方側に配される請求項３に記載の電子機器ユニット。
【請求項５】
前記反射部において反射した音を吸収する前記吸音材の吸音面が、前記長手方向において前記換気口から離れるにしたがって前記第一直交方向において前記反射部に近づくように、前記長手方向に対して傾斜している請求項１から請求項４のいずれか一項に記載の電子機器ユニット。
【請求項６】
内部に設けられて空気が流れる流路部、及び、前記流路部の端部に設けられた換気口を有するケースと、
前記換気口を塞ぐように設けられると共に、互いに間隔をあけた位置において前記流路部を前記ケースの外側に開口させる二つの開口孔を有する開口付き蓋部と、
前記ケースの外側に配されて、各開口孔に対向するように、かつ、前記流路部の長手方向において各開口孔から離れるにしたがって前記長手方向に直交する第一直交方向に延びるように形成され、各開口孔を通じて前記ケースの外側に伝播した音を反射する反射面を有する二つの反射部と、を備え、
二つの前記反射部の前記反射面が、二つの前記開口孔の配列方向において互いに向き合っている電子機器ユニット。
【請求項７】
前記流路部に設けられ、前記長手方向、並びに、前記長手方向及び前記第一直交方向に直交する第二直交方向に延びる板状に形成された板状体を備える請求項１から請求項６のいずれか一項に記載の電子機器ユニット。
【請求項８】
前記反射部は、前記長手方向において前記換気口から最も遠くに位置する前記反射面の先端に連ねて形成され、前記長手方向に直交する延長面を有する請求項１から請求項７のいずれか一項に記載の電子機器ユニット。
【発明の詳細な説明】
【技術分野】
【０００１】
この発明は、電子機器ユニットに関する。
【背景技術】
【０００２】
従来、電源ユニット等のように、通電によって発熱する各種電子部品をケース内部に配した電子機器ユニットには、ファンなどを用いて空気をケース内の流路部に流すことで、各種電子部品を冷却するものがある。
特許文献１には、ケース内の流路部に螺旋構造体を配した構成が開示されている。特許文献１の構成では、ファンなどにおいて発生する音が、螺旋構造体において減衰又は消音されるため、ケースの外側に漏れる騒音を低減することができる。
【先行技術文献】
【特許文献】
【０００３】
【特許文献１】特開２０１２−１１７５１８号公報
【発明の概要】
【発明が解決しようとする課題】
【０００４】
しかしながら、特許文献１の構成では、流路部における空気の流れが螺旋構造体によって妨げられてしまう。すなわち、螺旋構造体を採用した特許文献１の構成では、通気抵抗が大きい、という問題がある。
【０００５】
本発明は、上述した事情に鑑みたものであって、ケースの外側に漏れる騒音を低減できると共に、ケース内の流路部における通気抵抗も低減できる電子機器ユニットを提供することを目的とする。
【課題を解決するための手段】
【０００６】
本発明の一態様は、内部に設けられて空気が流れる流路部、及び、前記流路部の端部に設けられた換気口を有するケースと、前記ケースの外側に配されて、前記換気口に対向するように、かつ、前記流路部の長手方向において前記換気口から離れるにしたがって前記長手方向に直交する第一直交方向に延びるように形成され、前記換気口を通じて前記ケースの外側に伝播した音を反射する反射面を有する反射部と、前記ケースの外側に配され、前記反射部において反射した音を吸収する吸音材と、を備える電子機器ユニットである。
【０００７】
また、本発明の一態様は、内部に設けられて空気が流れる流路部、及び、前記流路部の端部に設けられた換気口を有するケースと、前記換気口を塞ぐように設けられると共に、互いに間隔をあけた位置において前記流路部を前記ケースの外側に開口させる二つの開口孔を有する開口付き蓋部と、前記ケースの外側に配されて、各開口孔に対向するように、かつ、前記流路部の長手方向において各開口孔から離れるにしたがって前記長手方向に直交する第一直交方向に延びるように形成され、各開口孔を通じて前記ケースの外側に伝播した音を反射する反射面を有する二つの反射部と、を備え、二つの前記反射部の前記反射面が、二つの前記開口孔の配列方向において互いに向き合っている電子機器ユニットである。
【発明の効果】
【０００８】
本発明によれば、ケースの外側に漏れる騒音を低減できると共に、ケース内の流路部における通気抵抗も低減することができる。
【図面の簡単な説明】
【０００９】
【図１】本発明の第一実施形態に係る電子機器ユニットを示す概略断面図である。
【図２】図１のII−II矢視断面図である。
【図３】図１の電子機器ユニットをケースの第一換気口側から見た正面図である。
【図４】図１の電子機器ユニットをケースの第二換気口側から見た背面図である。
【図５】図１の電子機器ユニットのうちケースの第一換気口の近傍を示す要部拡大断面図である。
【図６】図１の電子機器ユニットのうケースの第二換気口の近傍を示す要部拡大断面図である。
【図７】図１〜６の電子機器ユニットの変形例を示す断面図である。
【図８】本発明の第二実施形態に係る電子機器ユニットを示す概略断面図である。
【図９】図８のIX−IX矢視断面図である。
【図１０】図８のX−X矢視断面図である。
【図１１】本発明の他の実施形態に係る電子機器ユニットの反射部を示す拡大断面図である。
【図１２】本発明の他の実施形態に係る電子機器ユニットの反射部を示す拡大断面図である。
【発明を実施するための形態】
【００１０】
〔第一実施形態〕
以下、図１〜６を参照して本発明の第一実施形態について説明する。
図１に示すように、本実施形態に係る電子機器ユニット１は、ケース２と、反射部３，４と、を備える。また、本実施形態の電子機器ユニット１は、吸音材５を備える。
【００１１】
ケース２は、流路部１１、及び、換気口１２，１３を有する。流路部１１は、ケース２の内部に設けられて空気が流れる空間である。換気口１２，１３は、流路部１１の端部に設けられている。具体的に、換気口１２，１３は流路部１１の長手方向（Ｘ軸方向）の両端部に設けられている。すなわち、流路部１１の長手方向の両端部は、換気口１２，１３によってケース２の外側に開口している。流路部１１は、例えば蛇行又は湾曲してよいが、本実施形態では直線状に形成されている。流路部１１の長手方向に直交する流路部１１の断面形状は、円形状など任意であってよい。図２に示すように、本実施形態における流路部１１の断面形状は、矩形状である。
【００１２】
ケース２の内部には、通電によって発熱する各種の電子部品（不図示）が設けられる。電子部品は、流路部１１に流れる空気によって冷却されるように配されればよい。電子部品は、流路部１１に配されてもよいし、流路部１１に対して隔離された別の空間に配されてもよい。
【００１３】
図１に示すように、ケース２の流路部１１には、流路部１１に空気を流すためのファン１４が設けられている。ファン１４は、流路部１１の長手方向に空気を流す。ファン１４の具体的な構成は任意であってよい。ファン１４は流路部１１の長手方向の任意の位置に配されてよい。本実施形態において、ファン１４は流路部１１の一方の端部（図１において左側の端部）に位置する。本実施形態では、ファン１４がケース２内において発生する音の源（騒音源）となる。
【００１４】
図１，２に示すように、本実施形態の流路部１１には、板状体１５が設けられている。板状体１５は、流路部１１の長手方向及び長手方向に直交する第二直交方向（Ｚ軸方向）に延びる板状に形成されている。本実施形態の流路部１１は直線状に形成されているため、板状体１５は平板状に形成されている。第二直交方向における板状体１５の両端は、流路部１１の内面に接している。これにより、流路部１１は、その長手方向に直交する断面において、板状体１５によって流路部１１の長手方向及び第二直交方向に直交する第一直交方向（Ｙ軸方向）に配列された二つの領域に区画される。
【００１５】
板状体１５は、流路部１１の長手方向における流路部１１の全体又は一部に配されてよい。例えば、流路部１１の長手方向における板状体１５の両端が各換気口１２，１３に位置してよい。本実施形態の板状体１５は、流路部１１の長手方向においてファン１４を配した領域を除く流路部１１全体に配されている。
流路部１１に設けられる板状体１５の数は、例えば一つであってよい。本実施形態において、板状体１５は、第一直交方向に間隔をあけて複数配列されている。図示例における板状体１５の数は、三つである。これにより、流路部１１は、その長手方向に直交する断面において、三つの板状体１５によって第一直交方向に配列された四つの領域に区画される。
【００１６】
図１，５，６に示すように、反射部３，４は、各換気口１２，１３に対向するようにケース２の外側に配される。反射部３，４は、換気口１２，１３を通じてケース２の外側に伝播した音を反射する反射面２１を有する。反射面２１は、換気口１２，１３に対向するように、かつ、流路部１１の長手方向において換気口１２，１３から離れるにしたがって第一直交方向に延びるように形成されている。これにより、換気口１２，１３を通じてケース２の外側に伝播した音は、反射部３，４の反射面２１において反射することで、主に第一直交方向に伝播する。図５，６における符号Ｄ１は、換気口１２，１３を通じてケース２の外側に伝播する音の伝播方向を示している。また、符号Ｄ２は、換気口１２，１３を通じてケース２の外側に伝播した音が反射面２１において反射した後の音の伝播方向を示している。
【００１７】
本実施形態の反射面２１は、流路部１１の長手方向において換気口１２，１３から離れるにしたがって流路部１１の長手方向に対する傾斜角度が大きくなる断面円弧状の面に形成されている。なお、本願明細書において、ケース２の外側における流路部１１の長手方向は、換気口１２，１３の面（ＹＺ平面）に直交する方向を意味する。
反射面２１を除く反射部３，４の形状は任意であってよい。本実施形態の反射部３，４は、反射面２１の形状に倣う板状に形成されている。このため、反射面２１と逆側に向く反射部３，４の外面２２は、反射面２１に倣う形状に形成されている。
【００１８】
本実施形態の反射部３，４は、開口付き蓋部６，７に設けられている。開口付き蓋部６，７は、各換気口１２，１３を塞ぐように設けられる。開口付き蓋部６，７は、互いに間隔をあけた位置において流路部１１をケース２の外側に開口させる複数の開口孔２３を有する。
【００１９】
本実施形態の開口付き蓋部６，７は、平板状に形成されている。また、開口孔２３は、開口付き蓋部６，７の板厚方向に貫通して形成されている。
流路部１１の長手方向から見た各開口孔２３の平面視形状は、任意であってよい。本実施形態における各開口孔２３の平面視形状は、図３，４に示すように、第二直交方向の寸法が第一直交方向の寸法よりも長い形状に形成されている。
複数の開口孔２３は任意に配列されてよい。本実施形態において、複数の開口孔２３は、第一直交方向に間隔をあけて並んでいる。開口孔２３の数は任意であってよいが、本実施形態では二つである。
【００２０】
反射部３，４は、同一の開口付き蓋部６，７の複数の開口孔２３に対して一つずつ設けられる。すなわち、本実施形態では、各換気口１２，１３に対して反射部３，４が複数（図示例では二つ）設けられている。各反射部３，４は、各開口孔２３に対向するようにケース２の外側に配される。また、同一の開口付き蓋部６，７に設けられた複数の反射部３，４は、第一直交方向に間隔をあけて並べられる。
【００２１】
図１，３〜６に示すように、本実施形態の反射部３，４は、第一直交方向における開口孔２３の一端、及び、第二直交方向における開口孔２３の両端からケース２の外側に延びるように形成されている。すなわち、反射部３，４は、第二直交方向における開口孔２３の両端をケース２の外側において覆うように形成されている。これにより、反射部３，４の反射面２１において反射した音が、ケース２の外側において第二直交方向における開口孔２３の両端よりも外側に伝播することを抑制できる。また、本実施形態の反射部３，４は、一端が開口孔２３に接続され、他端がケース２の外側に対して第一直交方向の一方側に開口する開口端２４である流路として形成されている。
上記した反射部３，４及び開口付き蓋部６，７は、例えば、金属製の板材に板金加工を施すことで一体に形成することができる。
【００２２】
以下、本実施形態の反射部３，４について、より具体的に説明する。
図１，５に示すように、二つの換気口１２，１３のうち第一換気口１２（図１において右側の換気口１２）に配された複数の第一反射部３の反射面２１は、第一直交方向の一方側（Ｙ軸負方向側）に向けられている。このため、各第一反射部３の反射面２１において反射した音は、ケース２の外側において主に第一直交方向の一方側に伝播する。
【００２３】
吸音材５は、ケース２の外側に配され、上記した第一反射部３において反射した音を吸収する。吸音材５は、例えばスポンジ等の多孔質材であってよい。吸音材５の形状は任意であってよい。本実施形態の吸音材５は、板状に形成されている。本実施形態において、第一反射部３において反射した音を吸収する吸音材５の吸音面３１は、吸音材５の板厚方向に直交する平坦な面となっている。
吸音材５は、流路部１１の長手方向において第一換気口１２からケース２の外側に離れて位置する。また、吸音材５は、複数の第一反射部３に対して第一直交方向にずれた位置に配される。
【００２４】
本実施形態の吸音材５には、第一吸音材５Ａと、第二吸音材５Ｂと、がある。
第一吸音材５Ａは、第一反射部３の反射面２１において反射した音を吸収する。このため、第一吸音材５Ａは、第一直交方向において第一反射部３の反射面２１に対向するように、複数の第一反射部３に対して第一直交方向の一方側に配される。第一吸音材５Ａは、図示例のように流路部１１の長手方向において開口付き蓋部６に対して隙間なく、あるいは、開口付き蓋部６に対する隙間が小さくなるように配されるとよい。この場合、第一反射部３の反射面２１において反射した音が、第一吸音材５Ａと開口付き蓋部６との間から漏れることを抑制又は防止できる。
第二吸音材５Ｂは、一の第一反射部３の反射面２１において反射した後に他の第一反射部３（例えば他の第一反射部３の外面２２）において反射した音を吸収する。このため、第二吸音材５Ｂは、複数の第一反射部３に対して第一直交方向の他方側（Ｙ軸正方向側）に配される。図５における符号Ｄ３は、一の第一反射部３の反射面２１において反射した後に、他の第一反射部３の外面２２において反射した音の伝播方向を示している。
【００２５】
各吸音材５の吸音面３１は、例えば図５の二点鎖線で示すように、流路部１１の長手方向に対して平行にしてもよい。本実施形態において、各吸音材５の吸音面３１は、流路部１１の長手方向において第一換気口１２から離れるにしたがって第一直交方向において第一反射部３に近づくように、流路部１１の長手方向に対して傾斜している。
【００２６】
図１，６に示すように、二つの換気口１２，１３のうち第二換気口１３（図１において左側の換気口１３）に配された二つの第二反射部４の反射面２１は、第一直交方向（二つの開口孔２３の配列方向）において互いに向き合っている。このため、第二換気口１３に設けられた開口付き蓋部６，７の開口孔２３を通じてケース２の外側に伝播した音は、二つの第二反射部４の反射面２１において反射することで、ケース２内に戻される。図６における符号Ｄ４は、一方の第二反射部４の反射面２１において反射した後に、他方の第二反射部４の反射面２１において反射した音の伝播方向を示している。
【００２７】
第一直交方向における二つの第二反射部４同士の間隔Ｌ１は、流路部１１の長手方向における二つの第二反射部４の開口端２４の長さＬ２，Ｌ３の合計よりも大きいことが好ましい。この場合、流路部１１における通気抵抗を小さく抑えることができる。
【００２８】
以上説明したように、本実施形態の電子機器ユニット１によれば、ケース２内に配されたファン１４において発生した音は、ケース２の外側に配された第一反射部３において反射した上で、吸音材５において吸収される。これにより、ケース２の外側に漏れる騒音の低減を図ることができる。
また、吸音材５は第一反射部３において反射した音を吸収するため、吸音材５をケース２の第一換気口１２から離れた位置に配置できる。これにより、吸音材５が流路部１１における通気抵抗となることを防止できる。また、第一反射部３はケース２の外側に配されるため、第一反射部３が流路部１１における通気抵抗となることも抑制できる。以上のことから、流路部１１における通気抵抗を小さく抑えることができる。流路部１１における通気抵抗を低減できることで、ケース２内に通電によって発熱する各種の電子部品が配されていても、流路部１１において空気を効率よく流して、電子部品を効率よく冷却できる。
【００２９】
また、本実施形態の電子機器ユニット１によれば、ケース２内のファン１４において発生した音は、ケース２の外側に配された二つの第二反射部４の反射面２１において反射することで、ケース２内に戻される。これにより、ケース２内の音がケース２から離れる方向に伝播することを抑制できる。また、音が二つの第二反射部４において二回反射することで、音のエネルギーを効果的に減衰できる。これにより、ケース２の外側に漏れる騒音の低減を図ることができる。
また、第二反射部４がケース２の外側に配されるため、第二反射部４が流路部１１における通気抵抗となることを抑制できる。さらに、二つの第二反射部４を互いに間隔をあけて配置することで、二つの第二反射部４が流路部１１における通気抵抗となることを抑制できる。以上のことから、流路部１１における通気抵抗を小さく抑えることができる。
【００３０】
また、本実施形態の電子機器ユニット１によれば、複数の開口孔２３を有する開口付き蓋部６，７がケース２の換気口１２，１３に設けられ、複数の反射部３，４が複数の開口孔２３に対して一つずつ設けられている。このため、反射部３，４を同一の換気口１２，１３に対して一つだけ設ける場合と比較して、反射部３，４を小さく形成できる。これにより、反射部３，４に基づいて換気口１２，１３において生じる通気抵抗を小さく抑えることができる。
さらに、反射部３，４を小さく形成できることで、反射部３，４及び開口付き蓋部６，７を板金加工によって一体に形成する場合に、板金の加工量を小さくすることができる。すなわち、同一の開口付き蓋部６，７に形成される反射部３，４が一つである場合と比較して、反射部３，４を効率よく形成することができる。
【００３１】
さらに、本実施形態の電子機器ユニット１によれば、第一反射部３において反射した音を吸収する吸音材５として、第一反射部３の反射面２１において反射した音を吸収する第一吸音材５Ａと、一の第一反射部３の反射面２１で反射した後に他の第一反射部３において反射した音を吸収する第二吸音材５Ｂと、がある。このため、第一反射部３の反射面２１において反射した音だけではなく、一の第一反射部３の反射面２１で反射した後に他の第一反射部３（例えば他の第一反射部３の外面２２）においてさらに反射した音も吸音材５において吸収できる。したがって、ケース２の外側に漏れる騒音をさらに低減することができる。
【００３２】
また、本実施形態の電子機器ユニット１によれば、第一吸音材５Ａが複数の第一反射部３に対して第一反射部３の反射面２１が向く第一直交方向の一方側に配される。これにより、各第一反射部３の反射面２１において反射した音を、第一吸音材５Ａにおいて確実に吸収できる。
また、第二吸音材５Ｂが複数の第一反射部３に対して第一直交方向の他方側に配される。これにより、一の第一反射部３の反射面２１において反射した後に、一の第一反射部３よりも第一直交方向の一方側に位置する他の第一反射部３において反射した音を、第二吸音材５Ｂにおいて効果的に吸収できる。
【００３３】
また、本実施形態の電子機器ユニット１では、吸音材５の吸音面３１が、流路部１１の長手方向において第一換気口１２から離れるにしたがって第一直交方向において第一反射部３に近づくように、流路部１１の長手方向に対して傾斜している。このため、吸音材５の吸音面３１が、流路部１１の長手方向に平行する場合と比較して、流路部１１の長手方向における吸音材５の寸法を小さくしながら、第一反射部３において反射した音を効率よく吸収することが可能となる。したがって、電子機器ユニット１の小型化を図ることができる。
【００３４】
また、本実施形態の電子機器ユニット１によれば、ケース２の流路部１１には、流路部１１の長手方向及び第二直交方向に延びる板状に形成された板状体１５が設けられている。このため、流路部１１における音の伝播方向に第一直交方向の成分が含まれていても、音が第一直交方向に向く板状体１５の主面やこれに対向する流路部１１の内面において反射することで、ケース２の内側（流路部１１）から換気口１２，１３や開口孔２３を通る音の伝播方向が、流路部１１の長手方向に対して第一直交方向に傾斜することを抑制できる。特に、本実施形態の電子機器ユニット１では、板状体１５が第一直交方向に間隔をあけて複数配列されているため、換気口１２，１３や開口孔２３を通る音の伝播方向が、流路部１１の長手方向に対して第一直交方向に傾斜することを効果的に抑制できる。これにより、反射部３，４の反射面２１において反射した音の伝播方向の範囲を制限できる。したがって、反射部３，４の反射面２１において反射した音を効率よく吸音材５に向かわせたり、ケース２内に戻したりすることができる。
また、音が板状体１５の主面や流路部１１の内面において反射を繰り返すことで、音のエネルギーを効果的に減衰できるため、ケース２の外側に漏れる騒音の低減を図ることもできる。
【００３５】
第一実施形態の流路部１１には、例えば図７に示すように、板状体１５の他に板状吸音材１６が設けられてよい。この場合、板状体１５は第二直交方向（Ｚ軸方向）において間隔をあけて配列されてよい。また、板状吸音材１６は、流路部１１の長手方向（Ｘ軸方向）及び第一直交方向（Ｙ軸方向）に延びる板状に形成され、第二直交方向に配列された板状体１５の間に配されてよい。板状吸音材１６は、流路部１１において伝播する音を吸収するものであり、例えばスポンジ等の多孔質材であってよい。第一直交方向における板状吸音材１６の両端は、流路部１１の内面に接するとよい。これにより、流路部１１は、その長手方向に直交する断面において、板状体１５によって第一直交方向に配列される複数の領域（図７においては四つの領域）に区画されると共に、板状吸音材１６によって第二直交方向に配列される二つの領域に区画される。
【００３６】
図７に例示した構成では、流路部１１における音の伝播方向に第一直交方向の成分が含まれていても、板状体１５によって、ケース２の内側（流路部１１）から換気口１２，１３や開口孔２３を通る音の伝播方向が、流路部１１の長手方向に対して第一直交方向に傾斜することを抑制できる。また、流路部１１における音の伝播方向に第二直交方向の成分が含まれていても、板状吸音材１６によって、第二直交方向に伝播する音を吸収することができる。したがって、流路部１１における音の伝播方向が流路部１１の長手方向に対して傾斜することを、より効果的に抑制することができる。また、板状吸音材１６によって流路部１１において伝播する音を吸収することで、ケース２の外側に漏れ出す騒音を効果的に低減することもできる。
【００３７】
〔第二実施形態〕
次に、図８〜１０を参照して本発明の第二実施形態について説明する。第二実施形態においては、第一実施形態と同様の構成要素について同一符号を付す等して、その説明を省略する。
【００３８】
図８に示すように、本実施形態の電子機器ユニット１Ｃは、第一実施形態と同様のケース２、反射部３，４、吸音材５、開口付き蓋部６，７などを備える。また、本実施形態の電子機器ユニット１Ｃは、第一実施形態と同様に、ケース２の流路部１１に設けられる板状体１８Ｃ，１９Ｃを備える。
ただし、本実施形態の板状体１８Ｃ，１９Ｃは、流路部１１の長手方向（Ｘ軸方向）に複数配列されている。図８〜１０に示すように、流路部１１の長手方向に隣り合う二つの板状体１８Ｃ，１９Ｃの板厚方向は、互いに異なる方向に向いている。具体的に、流路部１１の長手方向に隣り合う二つの板状体１８Ｃ，１９Ｃの板厚方向は、互いに直交している。
【００３９】
図８〜１０に示す電子機器ユニット１Ｃでは、板状体１８Ｃ，１９Ｃが流路部１１の長手方向に二つ配列されている。
流路部１１の長手方向において第一換気口１２側に配される第一板状体１８Ｃは、第一実施形態の板状体１５と同様に、流路部１１の長手方向及び第二直交方向（Ｚ軸方向）に延びる板状に形成されている。第一板状体１８Ｃの数は、例えば一つであってよい。本実施形態において、第一板状体１８Ｃは、第一直交方向（Ｙ軸方向）に間隔をあけて複数（図示例では三つ）配列されている。
【００４０】
一方、第二換気口１３側（ファン１４側）に配される第二板状体１９Ｃは、流路部１１の長手方向及び第一直交方向に延びる板状に形成されている。第二板状体１９Ｃの数は、例えば一つであってよい。本実施形態において、第二板状体１９Ｃは、第二直交方向に間隔をあけて複数（図示例では三つ）配列されている。
第一板状体１８Ｃと第二板状体１９Ｃとは、例えば流路部１１の長手方向に間隔をあけて配されてよい。本実施形態では、第一板状体１８Ｃと第二板状体１９Ｃとが流路部１１の長手方向において隙間なく配列されている。
【００４１】
第二実施形態の電子機器ユニット１Ｃによれば、第一実施形態と同様の効果を奏する。
また、第二実施形態の電子機器ユニット１Ｃでは、流路部１１の長手方向に隣り合う二つの板状体１８Ｃ，１９Ｃの板厚方向が、互いに異なる方向に向いている。特に、第一板状体１８Ｃが流路部１１の長手方向及び第二直交方向に延びる板状に形成され、第二板状体１９Ｃが流路部１１の長手方向及び第一直交方向に延びる板状に形成されている。
【００４２】
このため、流路部１１における音の伝播方向に第一直交方向の成分が含まれていても、第一板状体１８Ｃの主面やこれに対向する流路部１１の内面において反射することで、ケース２の内側（流路部１１）から換気口１２，１３や開口孔２３を通る音の伝播方向が、流路部１１の長手方向に対して第一直交方向に傾斜することを抑制できる。また、流路部１１における音の伝播方向に第二直交方向の成分が含まれていても、第二板状体１９Ｃの主面やこれに対向する流路部１１の内面において反射することで、ケース２の内側（流路部１１）から換気口１２，１３や開口孔２３を通る音の伝播方向が、流路部１１の長手方向に対して第二直交方向に傾斜することも抑制できる。すなわち、流路部１１における音の伝播方向が流路部１１の長手方向に対して傾斜することを、より効果的に抑制することができる。これにより、反射部３，４の反射面２１において反射した音の伝播方向の範囲をさらに制限できる。したがって、反射部３，４の反射面２１において反射した音をさらに効率よく吸音材５に向かわせたり、ケース２内に戻したりすることができる。
【００４３】
また、第二実施形態の電子機器ユニット１Ｃでは、第一板状体１８Ｃと第二板状体１９Ｃとが流路部１１の長手方向において互いに異なる位置に配される。このため、第一板状体１８Ｃ及び第二板状体１９Ｃが流路部１１の長手方向において同じ位置に配される場合、すなわち、第一板状体１８Ｃ及び第二板状体１９Ｃが流路部１１において格子状に設けられる場合と比較して、流路部１１における通気抵抗を小さく抑えることができる。
【００４４】
第二実施形態において、流路部１１の長手方向に配列される板状体の数は、三つ以上であってよい。この場合、流路部１１の長手方向において一の板状体の両側に位置する他の板状体の板厚方向は、互いに異なっていてもよいし、同じであってもよい。
【００４５】
第二実施形態の電子機器ユニット１Ｃには、図７に例示した板状吸音材１６が適用されてもよい。例えば、第一板状体１８Ｃが第二直交方向において間隔をあけて配列され、第二直交方向に配列された第一板状体１８Ｃの間に、流路部１１の長手方向及び第一直交方向に延びる板状吸音材１６が配されてよい。また、第二板状体１９Ｃが第一直交方向において間隔をあけて配列され、第一直交方向に配列された第二板状体１９Ｃの間に、流路部１１の長手方向及び第二直交方向に延びる板状吸音材１６が配されてよい。
【００４６】
以上、本発明の詳細について説明したが、本発明は上述した実施形態に限定されるものではなく、本発明の主旨を逸脱しない範囲において種々の変更を加えることができる。
【００４７】
本発明においては、例えば図１１，１２に示すように、反射部３，４が、流路部１１の長手方向（Ｘ軸方向）において換気口１２，１３から最も遠くに位置する反射面２１の先端に連ねて形成された延長面２６を有してよい。延長面２６は、流路部１１の長手方向に直交する。延長面２６は、図示例のように流路部１１の長手方向においてケース２の換気口１２，１３や開口付き蓋部６，７の開口孔２３に対向してよいが、これに限ることはない。
【００４８】
反射部３，４が延長面２６を有する場合、反射面２１において反射した音を延長面２６においてさらに反射させることができる。このため、反射面２１において反射した音が、流路部１１の長手方向においてケース２の換気口１２，１３や開口付き蓋部６，７の開口孔２３から離れる方向に伝播することを抑制できる。したがって、反射面２１において反射した音を効率よく吸音材５に向かわせたり、ケース２内に戻したりすることができる。
また、換気口１２，１３を通じてケース２の外側に伝播した音を、延長面２６において反射させることで、ケース２内に戻すこともできる。
【００４９】
本発明においては、例えば図１２に示すように、反射部３，４の反射面２１が、流路部１１の長手方向に対する傾斜角度が一定である平坦な面に形成されてよい。
【００５０】
本発明において、複数の第一反射部３の配列方向と、複数の第二反射部４の配列方向とは、上記した実施形態のように同じであってもよいが、例えば互いに異なってよい。
【００５１】
本発明においては、例えば、ケース２の二つの換気口１２，１３の両方に第一反射部３及び吸音材５を設けてもよいし、二つの換気口１２，１３の両方に二つの第二反射部４を設けてもよい。
【００５２】
本発明において、第一反射部３は、例えばケース２に直接設けられてよい。すなわち、本発明の電子機器ユニットは、例えば開口付き蓋部６を備えなくてもよい。
【００５３】
本発明において、ケース２内において発生する音（騒音）は、ファン１４によるものに限らず、任意であってよい。
【符号の説明】
【００５４】
１，１Ｃ  電子機器ユニット
２  ケース
３  第一反射部（反射部）
４  第二反射部（反射部）
５  吸音材
５Ａ  第一吸音材
５Ｂ  第二吸音材
６，７  開口付き蓋部
１１  流路部
１２  第一換気口（換気口）
１３  第二換気口（換気口）
１４  ファン
１５  板状体
１６  板状吸音材
１８Ｃ  第一板状体（板状体）
１９Ｃ  第二板状体（板状体）
２１  反射面
２２  外面
２３  開口孔
２４  開口端
２６  延長面
３１  吸音面
【図１】
2020007936.tif 000003
【図２】
2020007936.tif 000004
【図３】
2020007936.tif 000005
【図４】
2020007936.tif 000006
【図５】
2020007936.tif 000007
【図６】
2020007936.tif 000008
【図７】
2020007936.tif 000009
【図８】
2020007936.tif 000010
【図９】
2020007936.tif 000011
【図１０】
2020007936.tif 000012
【図１１】
2020007936.tif 000013
【図１２】
2020007936.tif 000014